(57)【要約】【課題】  天板としての有効面積が広く、使い勝手が良く、煙草の煙等の汚染空気を吸引することのできる空間領域が広く、死角となる空間領域が少なく吸引効果に優れた空気清浄装置を提供する。【解決手段】  ケース本体７の上面部に中央部を空気吸込口とする第１環状部材５が設けられ、該第１環状部材の先端部と該第１環状部材を取り囲む第２環状部材６の先端部が天板２上面から突出し、前記第１環状部材と第２環状部材によって空気吹出口とそれに続く吹出空気の通過部が形成され、送風機がその吸引側を前記空気吸込口に向けて配設され、前記空気吹出口から吹き出される吹出空気と前記空気吸込口に吸い込まれる吸込空気とによって、前記天板上方から前記空気吸込口に向かう竜巻状の旋回流と、該竜巻状の旋回流の周りにおいて天板上方に向かうエアカーテン状の旋回流とを発生させることを特徴とする。【選択図】  図７
2006046679.tif 000002
【特許請求の範囲】
【請求項１】
ケース本体の上面部に中央部を空気吸込口とする第１環状部材が設けられ、該第１環状部材の先端部と該第１環状部材を取り囲む第２環状部材の先端部が天板上面から突出し、前記第１環状部材と第２環状部材によって空気吹出口とそれに続く吹出空気の通過部が形成され、送風機がその吸引側を前記空気吸込口に向けて配設され、前記空気吹出口から吹き出される吹出空気と前記空気吸込口に吸い込まれる吸込空気とによって、前記天板上方から前記空気吸込口に向かう竜巻状の旋回流と、該竜巻状の旋回流の周りにおいて天板上方に向かうエアカーテン状の旋回流とを発生させることを特徴とする空気清浄装置。
【請求項２】
前記送風機が前記ケース本体に収納され、
前記ケース本体の下部に、ケース本体内に吸い込まれた吸込空気を排気流と前記空気吹出口からの吹出し用の反転流に分流する分流部材が配設されてなることを特徴とする請求項１記載の空気清浄装置。
【請求項３】
前記分流部材がＨＥＰＡフィルターであることを特徴とする請求項２記載の空気清浄装置。
【請求項４】
前記分流部材が多孔板であることを特徴とする請求項２記載の空気清浄装置。
【請求項５】
前記送風機と前記多孔板の間に電気集塵機が設けられてなることを特徴とする請求項４記載の空気清浄装置。
【請求項６】
前記ケース本体の上面部に、下方に突出する反転流導入用ガイドベーンが形成され、該反転流導入用ガイドベーンを介して反転流が前記通過部に導入されるようになっていることを特徴とする請求項１、２、３、４または５記載の空気清浄装置。
【請求項７】
前記天板の下方に外部空気の吸込部が形成され、吹出空気用の送風機がその吸引側を前記吸込部に向けて配設され、前記第１環状部材と第２環状部材との間に形成された吹出空気の通過部を介して前記空気吹出口に吹出空気が送風されることを特徴とする請求項１記載の空気清浄装置。
【請求項８】
前記ケース本体内にＨＥＰＡフィルターが設けられてなることを特徴とする請求項７記載の空気清浄装置。
【請求項９】
前記ケース本体内に電気集塵機が設けられてなることを特徴とする請求項７記載の空気清浄装置。
【請求項１０】
前記通過部には、消音材ブロックが所定間隔毎に設置され、該消音材ブロック間に空気案内通路が形成されてなることを特徴とする請求項１、２、３、４、５、６、７、８または９記載の空気清浄装置。
【請求項１１】
前記空気吹出口からの空気の吹出方向が、前記空気吹出口から上方に向け旋回半径が次第に拡大するフィルターカバー１８逆裁頭円錐形のエアカーテン状フィルターカバー１８旋回流が形成されるように設定されていることを特徴とする請求項１、２、３、４、５、６、７、８、９または１０記載の空気清浄装置。
【請求項１２】
前記分流部材の下流側に脱臭フィルターを配設し、分流された排気流を脱臭することを特徴とする請求項１、２、３、５、６、７、８、９、１０または１１記載の空気清浄装置。
【請求項１３】
前記第１環状部材上面部に前記空気吸込口を覆うプレフィルターが配設されてなることを特徴とする請求項１、２、３、４、５、６、７、８、９、１０、１１または１２記載の空気清浄装置。
【請求項１４】
前記天板が脚部によって支持された座卓形状とされたことを特徴とする請求項１、２、３、４、５、６、７、８、９、１０、１１、１２または１３記載の空気清浄装置。
【請求項１５】
前記天板が脚部によって支持されたテーブル形状とされたことを特徴とする請求項１、２、３、４、５、６、７、８、９、１０、１１、１２または１３記載の空気清浄装置。
【発明の詳細な説明】
【技術分野】
【０００１】
この発明は、空気清浄装置に関するものである。さらに詳しくは、この発明は、人体に有害な汚染空気、例えば、煙草の煙を清浄にする機能を備えた空気清浄装置に関するものである。より具体的には、座卓、テーブル、カウンターテーブル等の家具に空気清浄機能を備えた空気清浄装置に関するものである。
【背景技術】
【０００２】
煙草の喫煙による健康への影響とともに、受動喫煙による健康への影響を取り除くため、種々の空気清浄装置が開発されてきており、例えば、喫煙所において使用されるテーブル形状の空気清浄装置も知られている（特許文献１参照）。
【０００３】
特許文献１に記載のものは、図１３に示すように送風機８１を内蔵するテーブル本体８２の天板８３上に、天板８３に沿った横長な竜巻式吸引装置８４を設けたものである。この竜巻式吸引装置８４は、天板８３上面で大きな場所を占めることから、天板８３としての有効面積が少なくなり、テーブルとしての使い勝手が悪い。そして、竜巻式吸引装置８４は、切欠口を有する円筒体内に略同一径の竜巻を発生させるものであって、竜巻による吸引作用の及ぶ有効領域は、天板８３上の近傍に限られる。また、竜巻の回転軸線は、天板８３と略平行とされ、竜巻による吸引作用には方向性があるため、竜巻の軸線方向と直交する方向からの吸引作用に比べ、例えば、竜巻の軸線方向からの吸引作用が劣ることになる。すなわち、この空気清浄装置では、煙の吸引作用が及ばないか又は低い死角となる空間領域が広いことから、喫煙者は、吸引作用の大きい空間領域、例えば、円筒体の切欠口に向かって煙草の煙を吐き出す必要があり、面倒であり、使い勝手が悪く、喫煙によるリラックス効果も得られ難い。また、この空気清浄装置の死角となる空間領域、すなわち、吸引作用が低かったり吸引作用の及ばない方向への煙草の吐き出し、または、吸引作用の低い箇所や少し離れただけで吸引作用の及ばない箇所での喫煙による煙は除去されにくく、受動喫煙することになり易く健康への悪影響が懸念される。
【特許文献１】特開平１０−５２３２５号公報（図１〜図４）
【発明の開示】
【発明が解決しようとする課題】
【０００４】
この発明は、上記のような実情に鑑み鋭意研究の結果創案されたものであり、天板としての有効面積が広く、使い勝手が良く、煙草の煙等の汚染空気を吸引することのできる空間領域が広く、死角となる空間領域が少なく吸引効果に優れた空気清浄装置を提供することを目的としている。
【課題を解決するための手段】
【０００５】
上記課題を解決するために、この発明の空気清浄装置は、（１）ケース本体の上面部に中央部を空気吸込口とする第１環状部材が設けられ、該第１環状部材の先端部と該第１環状部材を取り囲む第２環状部材の先端部が天板上面から突出し、前記第１環状部材と第２環状部材によって空気吹出口とそれに続く吹出空気の通過部が形成され、送風機がその吸引側を前記空気吸込口に向けて配設され、前記空気吹出口から吹き出される吹出空気と前記空気吸込口に吸い込まれる吸込空気とによって、前記天板上方から前記空気吸込口に向かう竜巻状の旋回流と、該竜巻状の旋回流の周りにおいて天板上方に向かうエアカーテン状の旋回流とを発生させることを特徴とする。
これによれば、天板上において第１環状部材と第２環状部材によって形成された空気吹出口から吹き出される吹出空気と第１環状部材の中央部の空気吸込口に吸い込まれる吸込空気とによって、効率よく、天板上方から前記空気吸込口に向かう竜巻状の旋回流と、該竜巻状の旋回流の周りにおいて天板上方に向かう周囲の空気を広い空間領域から吸引ないし誘引できるエアカーテン状の旋回流が発生することになる。
【０００６】
（２）前記送風機が前記ケース本体に収納され、前記ケース本体の下部に、ケース本体内に吸い込まれた吸込空気を排気流と前記空気吹出口からの吹出し用の反転流に分流する分流部材が配設されてなるものが採用できる。
これによれば、送風機によりケース本体内に吸い込まれた吸込空気の一部を、分流部材によって空気吹出口からの吹出用の反転流とすることができる利点がある。ここにおいて、反転流は清浄されているとはいえないが、空気吹出口から吹き出す吹出空気の量は、送風機により吸引された空気の１０〜２０％程度で十分なことから、健康への影響は殆どないといえる。使用される送風機としては、ターボファンが好ましい。
【０００７】
分流部材としては、ケース本体内に吸い込まれた空気の流れに通過抵抗を与え、ケース本体内を陽圧とすることで、ケース本体内に吸い込まれた吸込空気の一部を、分流部材によって空気吹出口から吹き出す反転流とするものが採用できる。より具体的には、（３）分流部材がＨＥＰＡフィルターであってもよい。または、（４）分流部材が多孔板であってもよい。これらの分流部材は、いずれも、ケース本体内を陽圧とすることで、ケース本体内に吸い込まれた吸込空気の一部を分流部材によって空気吹出口からの吹き出す反転流とするものであり、簡単な構造によって分流することができる利点がある。
分流部材がＨＥＰＡフィルターの場合は、ＨＥＰＡフィルターを通過した空気は清浄化されることから、喫煙等の場所に戻し、空気の循環利用が可能となる。
分流部材が多孔板の場合は、多孔板を通過した空気は、例えば、排気管を利用して外部に放出すればよい。
【０００８】
（５）分流部材が多孔板の場合において、送風機と多孔板の間に電気集塵機が設けられていてもよい。これによれば、電気集塵機により、煙草の煙等の汚染空気中の微細粒子が捕捉されることから、電気集塵機を通過した空気は清浄化され、喫煙等の場所に戻し、空気の循環利用が可能となる。
【０００９】
（６）前記ケース本体の上面部に、下方に突出する反転流導入用ガイドベーンが形成され、該反転流導入用ガイドベーンを介して反転流が前記通過部に導入されるようになっていることが好ましい。これによれば、反転流を効率よく通過部に導入し、空気吹出口から吹き出させることができる。
【００１０】
また、（７）前記天板の下方に外部空気の吸込部が形成され、吹出空気用の送風機がその吸引側を前記吸込部に向けて配設され、前記第１環状部材と第２環状部材との間に形成された吹出空気の通過部を介して、前記空気吹出口に吹出空気が送風されるようになっているものが採用できる。これによれば、吹出空気用の送風機を必要とするものの、空気吹出口から吹き出す空気は、前記したような汚染空気を含む反転流ではないことから、汚染物質をほとんど含まない清浄な空気を吹き出させることができる。
この場合において、送風機によりケース本体内に吸い込まれた吸込空気は、清浄化することによって喫煙等の場所に戻し、空気の循環利用が可能となる。より具体的には、（８）前記ケース本体内にＨＥＰＡフィルターが設けられていてもよい。または、（９）前記ケース本体内に電気集塵機が設けられていてもよい。
【００１１】
（１０）前記通過部には、消音材ブロックが所定間隔毎に設置され、該消音材ブロック間に空気案内通路が形成されてなることが好ましい。これによれば、通過部を通過する空気によって発生する騒音を、消音材ブロックにより吸収させることができるとともに、空気吹出口から吹き出す空気によりエアカーテン状の旋回流を形成しやすい。
【００１２】
（１１）前記空気吹出口からの空気の吹出方向が、前記空気吹出口から上方に向け旋回半径が次第に拡大するフィルターカバー１８逆裁頭円錐形のエアカーテン状フィルターカバー１８旋回流が形成されるように設定されていることが好ましい。これによれば、煙草の煙等の汚染空気を吸引ないし誘引できない死角となる空間領域を少なくすることができ、広い空間領域から汚染空気を排出することができることになる。
【００１３】
（１２）前記分流部材の下流側に脱臭フィルターを配設し、分流された排気流を脱臭するようにすることが好ましい。これによれば、臭気成分を除去することができる。
（１３）前記第１環状部材上面部に前記空気吸込口を覆うプレフィルターが配設されてなることが好ましい。これによれば、空気吸込口から吸い込まれた空気中に含まれる大きめの塵等を除去することができる。
【００１４】
（１４）前記天板が脚部によって支持された座卓形状とされたものであってもよい。
（１５）前記天板が脚部によって支持されたテーブル形状とされたものであってもよい。
【発明の効果】
【００１５】
この発明は、以上説明したように構成されているので、以下に記載されるような効果を奏する。
すなわち、この発明の空気清浄装置によれば、天板上において、第１環状部材と第２環状部材によって形成された空気吹出口から吹き出される吹出空気と第１環状部材の中央部の空気吸込口に吸い込まれる吸込空気とによって、効率よく、天板上方から前記空気吸込口に向かう竜巻状の旋回流と、該竜巻状の旋回流の周りにおいて天板上方に向かう周囲の空気を広い空間領域から吸引ないし誘引できるエアカーテン状の旋回流が発生することになる。そして、この空気清浄装置の吹出空気と吸込空気による旋回流の吸引作用の及ぶ空間領域は広く、しかもその領域においては方向性がないことから、天板上のどの様な方向からでも同様に吸引されることになり、煙草の煙等の汚染空気を吸引ないし誘引できない死角となる空間領域が少なく煙草の煙等の汚染空気の吸引効果に優れる。そのため、例えば、喫煙者は、煙の吸引方向を気にすることなくリラックスして喫煙することができる。また、受動喫煙することになり難く、健康への悪影響が少なくなる。そして、この空気清浄装置においては、第１環状部材の先端部と該第１環状部材を取り囲む第２環状部材の先端部が天板上面から突出しているだけであることから、天板としての有効面積が広く、使用勝手が良好である。
【００１６】
また、その構造は簡単であって、製造コストも安価であり、経済的である。
そして、座卓、テーブル等の家具形状とすることで、煙草の煙等の汚染空気による健康への被害が少なく、天板としての有効面積が広く、空気清浄とともに家具としての機能上も使い勝手の良い空気清浄装置を提供することができることになる。
この空気清浄装置によるその他の効果については、前記課題を解決するための手段における記載、後述する発明を実施するための最良の形態の記載、および、図面の記載等から明らかである。
【発明を実施するための最良の形態】
【００１７】
以下、発明を実施するための最良の形態を示し、さらに詳しくこの発明について説明する。もちろんこの発明は以下の実施の形態によって限定されるものではない。
【００１８】
図１は、この発明の空気清浄装置の一実施の形態であって、説明のために一部を破断して示した正面図、図２は、同じく説明のために図１の空気清浄装置の一部を破断して示した側面図、図３は、図１の空気清浄装置の平面図である。図４は、図１の空気清浄装置における旋回流発生手段を説明するため一部を破断して示した拡大立体分解図である。図５は説明用の拡大部分断面図であり、図６は、説明用の一部を破断した拡大部分立体図である。
【００１９】
図１に示す空気清浄装置１は、天板２が脚３、３、３、３によって支持された座卓形状となっているものである。この空気清浄装置１は、天板２の略中央に設けられた孔４から、図４に示す旋回流発生手段の第１環状部材５の先端部と第２環状部材６の先端部とが突出している。この旋回流発生手段においては、第１環状部材５の基端部のフランジ５ａが、ケース本体７の上面部７ａに固定されている。第１環状部材５の基端部のフランジ５ａには、所定間隔毎に空気導入孔８、８・・が環状に穿設されている。ケース本体７の上面部７ａには、中央開口９が設けられており、該中央開口９の周囲に、前記各空気導入孔８、８・・に対応する位置で開口されるとともに、空気導入用ガイドベーン１０が下方に向けて突設されている。空気導入用ガイドベーン１０は、両側壁を備えた傾斜翼からなり、傾斜翼とケース本体の上面部とのなす角度θは１０〜６０゜（望ましくは４５゜）が好ましい。
【００２０】
第１環状部材５は、基端部から先端部に向かって縮径した形状となっており、頂面５ｂはフラットとされ、さらに内側へ折り曲げられてベルマウス５ｃが形成され、中央部が円形の空気吸込口１２となっている。第１環状部材５の頂面５ｂに後述するプレフィルターを支持する支持網１３が取着されている。
第１環状部材５の外周面には、消音材ブロック１５、１５・・が所定間隔毎に接着されている。消音材ブロック１５の基端部と消音材ブロック１５の基端部のと間に空気導入孔８が位置しており、各消音材ブロック１５は、図４においては左から右に傾斜している。消音材ブロック１５同士の間に屈曲した空気案内通路１６が形成されることで圧力損失が少なく消音効果のある構造となっている。消音材ブロック１５としてはウレタンフォーム等が採用できる。
【００２１】
第２環状部材６もその基端部のフランジ６ａが、ケース本体７の上面部７ａに、第１環状部材５と同心にネジ（図４においてはネジ１４を１つのみ示し、他は省略している。）で固定されている。第２環状部材６は、基端部から先端部に向かって縮径した形状となっており、先端部は外側に折り返されて、空気吹出用の外側環状部６ｂを形成している。第２環状部材６の基端部の内径は、第１環状部材５のフランジ５ａの外縁よりも大きく、外周面の傾斜は第１環状部材５の外周面の傾斜よりも緩く設定されている。第２環状部材６の頂部と第１環状部材５の頂面５ｂの高さは略同一となっている。
【００２２】
第１環状部材５の上部には、固定部材１７が被嵌されている。具体的には、第１環状部材５と消音材ブロック１５の上部との間に固定部材１７の基端部が挿入され、第１環状部材５に固定部材１７を被嵌した構造となっている。固定部材１７の先端部１７ａは、内側に折り返され、フィルターカバー１８を押圧固定するための押さえ部として機能するようになっている。なお、第１環状部材５に固定部材１７が一体化されていてもよい。
第２環状部材６は、第１環状部材５と固定部材１７とともに空気吹出口１９を形成している。もちろん、固定部材１７を使用しないで、第１環状部材５と第２環状部材６とで空気吹出口を形成するようにしてもよい。
【００２３】
支持網１３上にプレフィルター２０が載置されており、プレフィルターカバー１８が、固定部材１７の押さえ部に抗してその側縁部１８ａを押し込まれて、固定部材１７に押圧固定されている。プレフィルターカバー１８は、上面がメッシュ状になっており、プレフィルター２０を保護するためのものであり、プレフィルター２０により、吸込空気中の大きめの塵等がを除去される。
プレフィルター２０は、プレフィルターカバー１８を取り外すことで、図１に示す状態において、容易に交換することができる。
【００２４】
ケース本体７内には、モーター２２と羽根車２３とからなる送風機が、その吸引側を第１環状部材５の空気吸込口１２に向けて配設されている。モーター２２は、支持板２４装着されており、支持板２４は、ケース本体７にネジ（図示せず）で固定されている。モーター２２の回転軸には、羽根車２３が固定されている。送風機としてはターボファンが採用されている。送付機の起動、停止は、手動スイッチによって行うようにしても、人体センサースイッチによって人が近づいた時に起動し、人が離れたら停止するようにしても良く、または、煙草の煙等の汚染空気の濃度を感知するセンサースイッチを使用してもよい。
ケース本体７は、ベース部７ｂが開放されており、ベース部７ｂの周縁でＨＥＰＡフィルター２７が気密接続されるようになっている。
ケース本体７は、ＨＥＰＡフィルター２７を介し、左右一対の支持側板２８、２８に支持されている。
【００２５】
第２環状部材６と天板２の孔４との間にはスペーサー２９が設けられ、天板２と第２環状部材６との間を気密にしている。
【００２６】
羽根車２３によって空気吸込口１２から吸引された吸引空気が、ＨＥＰＡフィルター２７を通過する際に通過抵抗が生じ、それによって、ケース本体７内が陽圧ゾーンとなり、吸引空気の一部が反転流、残りは排気流に分流され、反転流は空気道入用ガイドベーン１０を介して空気吹出口１９から吹出空気として吹き出され、排気流は、ＨＥＰＡフィルター２７を通過することで清浄な空気となる。空気清浄装置の使用に伴いＨＥＰＡフィルター２７の目詰まりが生じ、これにより通過抵抗が変動するが、前記反転流導入用ガイドベーン１０によって、空気吹出口１９からの風量の変化が低減される。
【００２７】
天板２の脚３、３、３、３には、前後左右に側板３０、３０、３０、３０が設けられ、前後の側板３０、３０には排出口が設けられ、該排出口にはパネル状の脱臭フィルター３２、３２が取り付けられているとともに、底部には底板３３が設けられたボックス構造となっている。ボックス内にはケース本体７、ＨＥＰＡフィルター２７が収納されている。分流された排気流は、ＨＥＰＡフィルター２７を通過して清浄化され、前後側板３２、３２に取り付けられた脱臭フィルター３２、３２を通過して臭気成分が除去されることになる。
ＨＥＰＡフィルター２７を交換可能としたり、羽根車２３を掃除したりすることができるように、例えば、天板２を脚３、３、３、３にネジ止めすることで、天板２が脚３、３、３、３から着脱可能となっている（図示せず）。このような構造となっていることから、シンプルで、堅牢であり、製造も安価であり、空気清浄装置１を組み立てることが容易であるとともに、修理、部品交換等のための分解も容易である。
【００２８】
天板２の左右に引き出し式の灰皿３４が設けられ、天板２上に突出しているのは、天板２の略中央部にある旋回流発生手段の一部、すなわち、第２環状部材６の先端部、固定部材１７、プレフィルター２０等であって、余り邪魔にならず、天板２上面を喫煙以外、例えば、食事、喫茶等においても有効に活用できるようになっている。従って、この空気清浄装置１は、喫煙所だけでなく、料理店、旅館、家庭の和室等においても使用できるものであり、移動可能であり、室内の好みの場所に設置することができる。
【００２９】
次に、この空気清浄装置１の作用を、図７の説明図を加えて説明する。
送風機を起動させると、羽根車２３が回転し、空気吸込口１２から吸引された吸引空気が下流のＨＥＰＡフィルター２７を通過する際の通過抵抗によって、ケース本体７内が陽圧ゾーンとなり、図７に示されるように、空気の一部が反転流、残りが排気流に分流される。反転流は、空気道入用ガイドベーン１０を介し、空気案内通路１６に導入され、空気吹出口１９から吹き出す。そして、空気吹出口１９から吹き出す空気と、空気吸込口１２から吸い込まれる空気の相互作用によって、図７に示すように、直ちに、天板２上方から空気吸込口１２に向かう竜巻状の旋回流Ｔと、該竜巻状の旋回流Ｔの周りにおいて天板上方に向け旋回半径が次第に拡大する逆裁頭円錐形のエアカーテン状旋回流Ａとが発生する。
【００３０】
このような状態において、喫煙によって発生した煙等の汚染空気は、エアカーテン状旋回流Ａによって吸引または誘引され、次いで、竜巻状の旋回流Ｔに捕捉され空気吸込口１２に向かって下降する。そして、汚染空気は、プレフィルター２０で大きめの塵等が除去され、ベルマウス５ｃを介して、ケース本体７内に到達し、前述したようにＨＥＰＡフィルター２７によって反転流と排気流とに分流され、反転流は、空気吹出口１９から吹き出し、エアカーテン状旋回流Ａを形成する。排気流は、ＨＥＰＡフィルター２７によって清浄化され、次いで、脱臭フィルター３２によって臭気成分が除去され、循環利用される。
エアカーテン状の旋回流による汚染空気の吸引または誘引作用は、天板上面付近においても有効であることを本願の発明者は確認している。
【００３１】
図７に示すように、空気清浄装置１の吹出空気と吸込空気による旋回流の吸引作用の及ぶ空間領域は広く、しかもその領域においては方向性がないことから、天板２上のどの様な方向からでも同様に吸引されることになり、フィルターカバー１８煙草の煙等の汚染空気を吸引ないし誘引できない死角となる空間領域が少なく、煙草の煙等の汚染空気の吸引効果に優れる。
分流された排気流は、ＨＥＰＡフィルター２７を通過して清浄化され、前後の脱臭フィルター３２を通過して臭気成分が除去され、喫煙等の場所に戻され、空気の再循環に使用される。
こういったことから、例えば、喫煙者は、煙の吸引方向を気にすることなく、座っている場所でリラックスして喫煙することができ、また、受動喫煙することになり難く、健康への悪影響が少ない。
【００３２】
図８は、この発明の空気清浄装置の他の実施の形態であって、説明のために一部を破断して示した側面図である。
図８に示される空気清浄装置４１は、概略、前述した空気清浄装置１におけるＨＥＰＡフィルターを多孔板４２に代え、羽根車２３と多孔板４２との間に電気集塵機４３を設けた点が相違するものである。電気集塵機４３は、支持板２４の前後位置に設けられている。
その他、前述した空気清浄装置１と同一の構造については同一番号を付し説明は省略する。
【００３３】
この空気清浄装置４１によれば、送風機を起動させると、羽根車２３によって空気吸込口から吸引された吸引空気が、下流の多孔板４２を通過する際の通過抵抗によってケース本体７内が陽圧ゾーンとなり、吸引空気の一部が反転流、残りが排気流に分流される。排気流は電気集塵機４３を通過し、煙草の煙等の汚染空気中の微細粒子が捕捉され、清浄化される。そして、清浄化した空気は多孔板４２を通過し、次いで、脱臭フィルター３２によって臭気成分が除去され、喫煙等の場所に戻され、空気の再循環に使用される。
その他、空気吹出口１９から吹き出す空気と、空気吸込口１２から吸い込まれる空気の相互作用によって、直ちに、天板２上方から空気吸込口１２に向かう竜巻状の旋回流Ｔと、該竜巻状の旋回流の周りにおいて天板上方に向け旋回半径が次第に拡大する逆裁頭円錐形のエアカーテン状旋回流Ａとが発生すること等の作用・効果は、前述した空気清浄装置１と同様であることから詳細な説明は省略する。
【００３４】
図９は、この発明の空気清浄装置の更に他の実施の形態であって、説明のために一部を破断して示した側面図である。
図９に示される空気清浄装置５１は、概略、前述した空気清浄装置４１において、電気集塵機４３を省略し、前後の脱臭フィルター３２、３２が取り付けられた前後の側板３０、３０に代え、前面板５２、後面板（図示せず）とし、多孔板５３の配設位置を底板３３近傍まで下げ、底板３３に排気口（図示せず）を設け、排気口に排気管５４を接続し、排気流を室外に排気するようにしたものである点が相違するものである。
その他、前述した空気清浄装置４１と同一の構造については同一番号を付し説明は省略する。
【００３５】
この空気清浄装置５１によれば、送風機を起動させると、羽根車２３によって空気吸込口１２から吸引された吸引空気が、下流の多孔板５３を通過する際の通過抵抗によってケース本体７内が陽圧ゾーンとなり、空気の一部が反転流、残りが排気流に分流される。そして、排気流は多孔板５３を通過し、排気口から排気管５４に導入され、室外に排気される。
その他、空気吹出口１９から吹き出す空気と、空気吸込口１２から吸い込まれる空気の相互作用によって、直ちに、天板２上方から空気吸込口１２に向かう竜巻状の旋回流Ｔと、該竜巻状の旋回流の周りにおいて天板上方に向け旋回半径が次第に拡大する逆裁頭円錐形のエアカーテン状旋回流Ａとが発生すること等の作用・効果は、前述した空気清浄装置４１と同様であることから詳細な説明は省略する。
なお、図１、図２、図７、図８、図９においては、支持網は図示していない。
【００３６】
図１０は、この発明の空気清浄装置の更に他の実施の形態であって、説明のために一部を破断して示した正面図、図１１は同装置の一部を破断して示した側面図、図１２は同装置の平面図である。
図１０〜図１２に示される空気清浄装置６１は、空気吸込口１２に向かう竜巻状の旋回流Ｔの形成と、該竜巻状の旋回流の周りにおいて天板上方に向け旋回半径が次第に拡大する逆裁頭円錐形のエアカーテン状旋回流Ａの形成とを別々の送風機によって行うようにしたものである。
【００３７】
この空気清浄装置６１においては、ケース本体６２の上部に吹出空気用の送風機６３を設置できる補助空間６４を形成し、ここに吹出空気用の送風機６３を４機配設し、前後左右の側板６５に形成した外部空気の吸込口６６と同一箇所を開口させている。この空気清浄装置６１においては、吹出空気用の送風機６３は、クロスフローファンとして示されている。そして、送風機６３により補助空間内に吸い込まれた外部空気を、空気案内通路１６に送り出し、空気吹出口１９から吹き出すようになっている。この構造においては、前述した空気清浄装置１で設けられていた空気導入用ガイドベーン１０は不要とされる。また、この空気清浄装置６１においては、第１環状部材７２にはベルマウスは不要とされ、支持網７３が第１環状部材７２に支持されている。
【００３８】
ケース本体６２には、中間位置にＨＥＰＡフィルター６７が配設され、吸込空気用の送風機６８が、ケース本体６２の底板６２ａより稍上方位置で支持板６９によって支持されている。この送風機６８は、前述した空気清浄装置１の送風機とは異なるものであって、モーター７０が上方にあり、羽根車７１は下方にあるが、送風機６８の吸引側は空気吸込口に向かうものである。
その他、前述した空気清浄装置１と同一の構造については同一番号を付し説明は省略する。
【００３９】
この空気清浄装置６１によれば、送風機６８を起動させると、羽根車７１によって空気吸込口１２から吸引された吸引空気がＨＥＰＡフィルター６７を通過して清浄化され、前後の脱臭フィルター３２を通過して臭気成分が除去され、喫煙等の場所に戻され、空気の再循環に使用される。
一方、外部空気の吸込口６６から吹出空気用の送風機６３により補助空間内に吸い込まれた外部空気を、空気案内通路１６に送り出し、空気吹出口１９から吹き出す。
この空気清浄装置６１は、吹出空気用の送風機６３を必要とするものの、空気吹出口１９から吹き出す空気は、前述した空気清浄装置１のような汚染空気を含む反転流ではないことから、比較的清浄な空気を吹き出させることができる利点がある。また、汚染空気によって羽根車等が汚れることも軽減できる。
その他、空気吹出口１９から、吹き出す空気と、空気吸込口１２から吸い込まれる空気の相互作用によって、直ちに、天板２上方から空気吸込口１２に向かう竜巻状の旋回流Ｔと、該竜巻状の旋回流の周りにおいて天板上方に向け旋回半径が次第に拡大する逆裁頭円錐形のエアカーテン状旋回流Ａとが発生すること等の作用・効果は前述した空気清浄装置１と同様であることから詳細な説明は省略する。
【００４０】
前述した空気清浄装置は、いずれも、第１環状部材と第２環状部材の間に消音材ブロックを所定間隔に配設し、空気案内通路を形成しているが、これに限られず、消音材ブロックを用いないで、第１環状部材と第２環状部材の間の空間を空気の通過部としてもよい。
また、脚を延長しテーブル形状の空気清浄装置としてもよいし、カウンター形状の空気清浄装置等各種の形態を採用することが可能である。
【図面の簡単な説明】
【００４１】
【図１】この発明の空気清浄装置の一実施の形態であって説明のために一部を破断して示した正面図である。
【図２】図１に示す空気清浄装置の一部を破断して示した側面図である。
【図３】図１に示す空気清浄装置の平面図である。
【図４】図１に示す空気清浄装置における旋回流発生手段を説明するため一部を破断して示した拡大分解図である。
【図５】図１に示す空気清浄装置の説明用の拡大部分断面図である。
【図６】図１に示す空気清浄装置の説明用の一部破断した拡大部分立体図である。
【図７】図１に示す空気清浄装置の作用の説明図である。
【図８】この発明の空気清浄装置の他の実施の形態であって説明のために一部を破断して示した側面図である。
【図９】この発明の空気清浄装置の更に他の実施の形態であって説明のために一部を破断して示した側面図である。
【図１０】この発明の空気清浄装置の更に他の実施の形態であって説明のために一部を破断して示した正面図である。
【図１１】図１０に示す空気清浄装置の一部を破断して示した側面図である。
【図１２】図１０に示す空気清浄装置の平面図である。
【図１３】従来の空気清浄装置を示す断面図である。
【符号の説明】
【００４２】
１  空気清浄装置
２  天板
３  脚
５  第１環状部材
６  第２環状部材
７  ケース本体
８  空気導入孔
１２  空気吸込口
１７  固定部材
１９  空気吹出口
２２  モーター
２３  羽根車
２４  支持板
【図１】
2006046679.tif 000003
【図２】
2006046679.tif 000004
【図３】
2006046679.tif 000005
【図４】
2006046679.tif 000006
【図５】
2006046679.tif 000007
【図６】
2006046679.tif 000008
【図７】
2006046679.tif 000009
【図８】
2006046679.tif 000010
【図９】
2006046679.tif 000011
【図１０】
2006046679.tif 000012
【図１１】
2006046679.tif 000013
【図１２】
2006046679.tif 000014
【図１３】
2006046679.tif 000015